(57)【要約】      （修正有）【課題】ハンダこてを用いないでも簡単に組み立てることが出来、単３電池１本で動作するストレートＡＭラジオを提供する。【解決手段】子供でも組み立てることが出来るストレートＡＭラジオであって、２５穴のブレッドボード上に前記ＡＭラジオを構成する電気回路を組み込む。電気回路はストレートＡＭラジオ専用ＩＣ１個とイヤフォン駆動用トランジスタ又はＦＥＴ１個からなる。前記ストレートＡＭラジオ専用ＩＣの出力端子と入力端子間には通常は１００Ｋオーム程度の抵抗が接続されているが、この抵抗に替えて同調用コイルが用いる。【選択図】図３
0003170493.tif 000002
【実用新案登録請求の範囲】
【請求項１】
子供でも組み立てることが出来るストレートAMラジオであって、25穴のブレッドボード上に全ての電気回路を組み込んだことを特徴とする前記ストレートAMラジオ
【請求項２】
前記電気回路はストレートAMラジオ専用IC１個とイヤフォン駆動用トランジスタ１個からなることを特徴とする前記ストレートAMラジオ。
【請求項３】
前記ストレートAMラジオ専用ICにおいて、帰還バイアス用抵抗に替えて同調用コイルが用いられていることを特徴とする前記ストレートAMラジオ。
【請求項４】
前記ストレートAMラジオ専用ICの出力端子にイヤフォン駆動用トランジスタのベース、又はFETの場合はゲートが直接接続されていることを特徴とする前記ストレートAMラジオ。
【請求項５】
前記ストレートAMラジオにおいてイヤフォンの一端がトランジスタのコレクタ端子に接続され、他端はグランド又は電源に接続されていることを特徴とする前記ストレートAMラジオ。
【請求項６】
前記ストレートAMラジオにおいて同調用コイルのインダクタンス値を可変する為のフェライトコアーに選局位置を記載したラベルを貼ったことを特徴とする前記ストレートAMラジオ。
【請求項７】
前記ストレートAMラジオにおいて電池BOXからの＋側のリード線の先端をより硬い線材にしたことを特徴とする前記ストレートAMラジオ。
【考案の詳細な説明】
【技術分野】
【０００１】
本考案はAM専用ICを用いイヤフォンを鳴らすことができる簡易なAMラジオに関するものである
【背景技術】
【０００２】
ラジオ技術の入門の為には従来は図１に示す様な、いわばゲルマニウムラジオの製作が行われてきた。しかしながら構造が簡単なだけに、その感度は低く充分な音量を得るのは難しかった。
【０００３】
近年になって、図２に示す様な、AM専用のICが用いられて比較的回路構成が簡単で充分なる音量の得られるラジオが出来る様になった。しかしながら、まだ回路構成は複雑であり小学生程度が製作するには困難があった。
【０００４】
ラジオ回路において、従来はイヤフォンを駆動する場合には、必ず交流駆動をしていた。即ち、コンデンサーやトランス又は平衡出力のアンプを用いていた。
【先行技術文献】
【非特許文献】
【０００５】
【非特許文献１】橋本剛著「ブレッドボードで始める電子工作」CQ出版２００７年
【考案の概要】
【考案が解決しようとする課題】
【０００６】
解決しようとする問題点は、小学生程度でもハンダこてを用いずに簡単に製作出来且つ充分なる音量の得られるラジオ回路及びキットが無い事である。
【課題を解決するための手段】
【０００７】
本考案は、AM専用ICにおいて帰還およびバイアス用の抵抗の替わりに同調用コイルを用いたことである。
【０００８】
本考案は、AM専用ICの出力端子とイヤフォンを駆動するトランジスタのベース又はMOS-FETのゲートとを直結し、結合用コンデンサ又はトランスを省略したことである。
【０００９】
本考案は、イヤフォンと上記トランジスタのコレクター又はFETのドレインとを直結し、結合用コンデンサ又はトランスを省略したことである。
【考案の効果】
【００１０】
本考案は、部品点数が少ない為、ハンダこてを使用せず、25穴のブレッドボード基板に部品を差し込むだけで回路が組み立てられる。
【００１１】
簡単にイヤフォン使用のラジオが組立てられるので、理科教材に有効である。
【図面の簡単な説明】
【００１２】
【図１】従来例１のゲルマニウムラジオの回路図である。
【図２】従来例２のAM専用ICを使用したラジオの回路図である。
【図３】実施例１の、PNPトランジスタでイヤフォンを駆動する場合の回路図である。
【図４】実施例２の、NPNトランジスタでイヤフォンを駆動する場合の回路図である。
【図５】実施例３のNチャンネルMOS-FETでイヤフォンを駆動する場合の回路図である。
【図６】本考案の実施例の構造図である。
【考案を実施するための形態】
【００１３】
小学校などの理科の授業の時間内で容易に製作可能で且つ充分なる音量の得られるラジオが実現した。
【実施例】
【００１４】
図３は、本考案の実施例１の回路図であって、LとC1で決まる周波数の放送局の電波はU1で高周波増幅とAM検波されてオーディオ信号が出力される。このオーディオ信号はベースが直接接続されたPNPトランジスタで増幅されてイヤフォンを駆動する。イヤフォンは前記トランジスタのコレクタとグランド間に接続されており、コレクタ電流がそのまま流れる。コレクタ電流の内、オーディオ成分が音としてイヤフォンから出力される。
【００１５】
図４は、本考案の実施例２の回路図であって、前記実施例１との違いはイヤフォンがNPNトランジスタで駆動される。
【００１６】
図５は、本考案の実施例３の回路図であって、前記実施例１との違いはイヤフォンがNチャンネルMOS-FETで駆動される。
【００１７】
図６は、本考案の実施例の構成図であって、主たる電気回路がブレッドボードに組み込まれている。同調用のコイルは別構成物として作製されて、前記ブレッドボードに接続される。電源用グランド側のリード線は組み立てと同時に前記ブレッドボードに接続される。一方、＋側はリード線の先端に硬い別リード線がハンダつけされており、ラジオの使用時にこの硬い部分を前記ブレッドボードに接続して回路を動作させる。スイッチの役割を果たしている。
【産業上の利用可能性】
【００１８】
小、中学校の理科の授業において、その時間内で組み立て、動作確認が出来る、簡単であるが充分なる音量の得られるラジオが実現した。これにより、理科に対する感動が得られる。
【符号の説明】
【００１９】
U1又はLMF501はAM専用ICである。
【００２０】
Q1はトランジスタ又はMOS-FETであり、イヤフォンを駆動する。
【００２１】
Lは同調用コイルであり、ミュウ同調を形成する。ｃ１は同調用コンデンサーである。
【図１】
0003170493.tif 000003
【図２】
0003170493.tif 000004
【図３】
0003170493.tif 000005
【図４】
0003170493.tif 000006
【図５】
0003170493.tif 000007
【図６】
0003170493.tif 000008
【手続補正書】
【提出日】平成23年5月27日(2011.5.27)
【手続補正１】
【補正対象書類名】実用新案登録請求の範囲
【補正対象項目名】全文
【補正方法】変更
【補正の内容】
【実用新案登録請求の範囲】
【請求項１】
子供でも組み立てることが出来るストレートAMラジオであって、２５穴のブレッドボード上に前記AMラジオを構成する主要電気回路を組み込んだことを特徴とする前記AMストレートAMラジオ。
【請求項２】
請求項１の電気回路はストレートAMラジオ専用IC1個とイヤフォン駆動用トランジスタ又はFET1個からなることを特徴とする請求項１記載のストレートAMラジオ。
【請求項３】
請求項１のストレートAMラジオ専用ICにおいて、出力端子と入力端子間には通常は１００Kオーム程度の抵抗が接続されているが、この抵抗に替えて同調用コイルが用いられていることを特徴とする請求項１記載のストレートAMラジオ。
【請求項４】
請求項１のストレートAMラジオ専用ICの出力端子にイヤフォン駆動用トランジスタのベース、又はFETの場合はゲートが直接接続されていることを特徴とする請求項１記載のストレートAMラジオ。
【請求項５】
請求項１のストレートAMラジオにおいてイヤフォンの一端が請求項４に記載のイヤフォン駆動用トランジスタのコレクタ端子又はFETの場合はドレイン端子に接続され、前記イヤフォンの他端はNPNトランジスタの場合は電源端子に、PNPトランジスタの場合はグランド端子に、FETの場合は電源端子に接続されることを特徴とする請求項１記載のストレートAMラジオ。
【請求項６】
請求項１のストレートAMラジオにおいて同調用コイルのインダクタンス値を可変する為のフェライトコアーに選局位置を記載したラベルを貼ったことを特徴とする請求項１記載のストレートAMラジオ。
【手続補正書】
【提出日】平成23年7月19日(2011.7.19)
【手続補正１】
【補正対象書類名】実用新案登録請求の範囲
【補正対象項目名】全文
【補正方法】変更
【補正の内容】
【実用新案登録請求の範囲】
【請求項１】
子供でも組み立てることが出来るストレートAMラジオであって、２５穴のブレッドボード上に前記AMラジオを構成する電気回路を組み込んだことを特徴とする前記AMストレートAMラジオ。
【請求項２】
請求項１の電気回路はストレートAMラジオ専用IC1個とイヤフォン駆動用トランジスタ又はFET1個からなることを特徴とする請求項１記載のストレートAMラジオ。
【請求項３】
前記ストレートAMラジオ専用ICの出力端子と入力端子間には通常は１００Kオーム程度の抵抗が接続されているが、この抵抗に替えて同調用コイルが用いられていることを特徴とする請求項２記載のストレートAMラジオ。
【請求項４】
前記ストレートAMラジオ専用ICの出力端子にイヤフォン駆動用トランジスタのベース、又はFETの場合はゲートが直接接続されていることを特徴とする請求項２記載のストレートAMラジオ。
【請求項５】
イヤフォンの一端が前記イヤフォン駆動用トランジスタのコレクタ端子又はFETの場合はドレイン端子に接続され、前記イヤフォンの他端はNPNトランジスタの場合は電源端子に、PNPトランジスタの場合はグランド端子に、FETの場合は電源端子に接続されることを特徴とする請求項４記載のストレートAMラジオ。
【請求項６】
請求項１のストレートAMラジオにおいて同調用コイルのインダクタンス値を可変する為のフェライトコアーに選局位置を記載したラベルを貼ったことを特徴とする請求項１記載のストレートAMラジオ。